(57)【特許請求の範囲】
【請求項１】
建物開口部に戸体を開閉自在に設けてなり、該戸体の少なくとも１辺に、戸体と開口部との間の隙間を塞ぐ塞ぎ部材を取付けるための保持部を備えたアタッチメント部材を設けてなり、アタッチメント部材には一方の面と他方の面とにそれぞれ上記保持部を少なくとも一つずつ設け、一方の面を開口部に対向するように取付けた場合と、他方の面を開口部に対向するように取付けた場合とで前記塞ぎ部材の開口部への突出量が相違するようにしたことを特徴とする開口部装置。
【発明の詳細な説明】
【０００１】
【発明が属する技術分野】
本発明は、建物の開口部装置に係り、特に開口部と戸体との間の隙間を塞ぐ塞ぎ部材の突出量を調整可能とした開口部装置に関する。
【０００２】
【従来の技術】
建物には、室内外間の移動ができるように開口部が形成されており、その開口部には、ヒンジ、吊車、戸車等を介してドア、引戸等が開閉自在に設けられている。その際、開口部の内法寸法よりも戸体の外周寸法を若干小さめに形成し開口部と戸体との間に隙間（チリまたはチリ寸法とよんでいる）を設けることにより開口部と戸体が干渉することなく戸体を確実に開閉できるようになっている。
【発明が解決しようとする課題】
【０００３】
図４のように、開口部の見込み面が略面一（フラット）に形成されることがある。そうすると隙間が室内外間で連通してしまい、よって戸体が閉まっているにもかかわらずその隙間から砂やチリ、ホコリ等が侵入してくる。
【０００４】
それを解決しようとして、その隙間を塞ぐために開口部と戸体との間に塞ぎ部材を設けることが考えられるが、隙間の寸法は現場での施工次第で大きくなったり小さくなったりすることがしばしばであるため、せっかく塞ぎ部材を設けても、隙間の寸法が小さくなった場合は開閉の際にその塞ぎ部材が開口部に引っ掛かって開閉に支障をきたしたり、またはその逆で寸法が大きくなった場合は隙間を充分に塞げなくなってしまうという問題があった。
【０００５】
また戸体に、開口部に対して突出没する部品（具体的にはフランス落としや落とし錠のボルト）が設けられている場合、その隙間から部品が見えてしまい意匠性に欠け、更には、部品に砂やチリが付着してしまい部品が機能を充分に果たさなくなってしまうことがあった。
【０００６】
そこで本発明は、上記事情を考慮してなされたもので、開口部と戸体との間の隙間をできる限り塞ぐとともに隙間寸法のバラツキにも対応できるようにし、更には戸体の意匠性を向上させ戸体の部品を確実に機能させる、開口部装置を提供することを目的とする。
【０００７】
【課題を解決するための手段】
本発明のうち、請求項１に係る発明は、建物開口部に戸体を開閉自在に設けてなり、該戸体の少なくとも１辺に、戸体と開口部との間の隙間を塞ぐ塞ぎ部材を取付けるための保持部を備えたアタッチメント部材を設けてなり、アタッチメント部材には一方の面と他方の面とにそれぞれ上記保持部を少なくとも一つずつ設け、一方の面を開口部に対向するように取付けた場合と、他方の面を開口部に対向するように取付けた場合とで前記塞ぎ部材の開口部への突出量が相違するようにしたことを特徴とする。
【０００８】
また、他の手段としては、建物開口部に戸体を開閉自在に設けてなり、前記戸体の少なくとも１辺に、戸体と開口部との間の隙間を塞ぐ塞ぎ部材を取付けるためのアタッチメント部材を設けてなり、前記アタッチメント部材には前記塞ぎ部材を保持する複数の保持部を設けてなり、前記保持部に対する前記塞ぎ部材の位置の変更によって、前記塞ぎ部材の開口部への突出量が調整可能であり、前記アタッチメント部材は、前記戸体とは別体に構成され、前記戸体に対して脱着可能に設けられており、前記アタッチメント部材は、前記戸体に設けた部品の露出を防ぐカバー材としても機能する、開口部装置とする。
【０００９】
また、他の手段としては、前記アタッチメント部材は、そのアタッチメント部材が設けられる戸体の辺と直交する方向において着脱自在となるように構成されることを特徴とする。また、前記戸体に設けた部品は、前記開口部に対して突没自在の部品であって、前記突没自在の部品を挟んで、戸体の厚み方向の両側に、前記塞ぎ部材を保持する保持部が配置される、ことを特徴とする。
【００１０】
【発明の実施の形態】
以下に、本発明の実施の形態を添付図面に基づいて詳述する。
【００１１】
図１において、１は建物に設けられた開口部であり、この開口部１は、例えばアルミニウム合金製の押出し形材からなる上枠１ａ及び左右の縦枠１ｂを固着具（図示省略）にて組立て構成した枠体と、床面Ｆ．Ｌ．とにより囲まれた空間で構成されている。この開口部１内にヒンジ（図示省略）を介して、そのヒンジの軸（一点鎖線）を中心に回動するように、例えばアルミニウム合金製の押出し形材からなる上下左右の框材を固着具（図示省略）にて四方組みしてなる框体にパネル体３（ガラス）を嵌めて構成される戸体２（ドア体）を建て込むことによって戸体２を開閉自在に設けている。床面Ｆ．Ｌ．は略面一（フラット）に構成されている。
【００１２】
図２（ａ）、図２（ｂ）、図２（ｃ）、は図１における、戸体２と床面Ｆ．Ｌ．との位置関係を示す拡大断面図であり、戸体２の下部には、戸体２の幅と略同等長さのアタッチメント部材５が下方向（アタッチメント部材５が設けられる戸体の辺（下框２ｃ）と直交する方向）から下框２ｃに一体形成された取付壁に対して固着具８によって固着され取付けられている。このアタッチメント部材５は例えばアルミニウム合金製押出し形材からなり、一方の面（例えば床面Ｆ．Ｌ．側）に開口した略コ字状の溝（保持部６）を全長に設けてなる。その溝内には一対の突起部９がありその突起部９により更に２つの溝（保持部６）６ａ，６ｂに分割されている。この２つの溝のどちらか一方に床面Ｆ．Ｌ．との間の隙間Ｓを塞ぐ戸体２の幅と略同等長さの塞ぎ部材４（例えばモヘア）の基部を嵌挿して保持させ塞ぎ部材４のヒレ部を隙間Ｓに位置させることより隙間Ｓを塞ぐ。
【００１３】
図２（ａ）の場合には、アタッチメント部材５の下框２ｃに対する呑み込み量が小さい係合部５ａを下框下部に係合させ、塞ぎ部材４の基部４ａを第１の保持部６ａよりも下方にある第２の保持部６ｂに保持させることにより、アタッチメント部材５の下端から床面までの隙間Ｓ１をほぼ塞ぐことがができる。
【００１４】
図２（ｂ）では、アタッチメント部材５の下端から床面までの隙間Ｓ２が、Ｓ１＞Ｓ２の関係にある。同時に、下框２ｃの下端から床面までの間隔も（ｔ１＞ｔ２）の関係にある。この場合にもアタッチメント部材５の下框２ｃへの取付けは係合部５ａを下框下部に係合させることによってなされる。
もしもこの場合に図２（ａ）と同じように保持部６ｂに保持させると塞ぎ部材４が床面と強くこすれあって開閉が重くなる、不快な音が発生する、塞ぎ部材が傷むという問題が発生する。
【００１５】
図２（ｃ）は、下框２ｃの下端から床面までの間隔が、図２（ｂ）よりもさらに小さい（ｔ２＞ｔ３）の関係にある場合の例である。この場合には、アタッチメント部材５を上下反転させて下框に対する呑み込み量が大きい係合部５ｂを下框下部に係合させる。そして塞ぎ部材４の基部４ａを第１及び第２の保持部６ａ、６ｂの中間に形成された第３の保持部６ｃに保持させる。第３の保持部６ｃは、下框の下端を基準にして、第２の保持部６ｂを前記の方法で使った場合に比べて、上の位置にあるので、ｔ３の間隔が上記の条件である場合には、塞ぎ部材がアタッチメント部材５と床面との間に、ほぼ隙間なくおさまる。
【００１６】
なお一対の突起部９は１つに限らず複数設けることにより溝を３つ以上に分割しても構わない。
また保持部６ｃも一対の突起部を形成して溝を複数に分割して構成しても構わない。
【００１７】
こうすることにより、現場での開口部１と戸体２との間の隙間Ｓの距離に応じて、最適な溝（保持部６）に塞ぎ部材４を嵌挿することにより塞ぎ部材４の開口部１への突出量を調整でき隙間Ｓを塞げるようになっている。
【００１８】
前記塞ぎ部材４としては、モヘア以外でも例えばゴム等の軟質樹脂製の気密材や硬質樹脂の板状のもの、またはアルミニウム合金製の押出し形材等でも良く、ようするに隙間Ｓを塞げるものであれば良い。
【００１９】
次に、塞ぎ部材４の位置調整方法および作用について説明する。先ず、建物に形成された開口部１に、塞ぎ部材４を予めアタッチメント部材５の任意の保持部６に嵌挿させた状態で戸体２を建て込み、その状態で開口部１と戸体２との間の隙間Ｓを見て隙間Ｓが開いている場合、または塞ぎ部材４が床面Ｆ．Ｌ．に干渉している場合、塞ぎ部材４を保持部６から横スライドによって一端外し、最適な溝を選択し、その選択した溝内にスライドによって嵌挿し直し、塞ぎ部材４の開口部１への突出量を調整している。
【００２０】
以上の構成からなる開口部１装置によれば、開口部１と戸体２との間の隙間Ｓを塞ぐ塞ぎ部材４の突出量を調整できるので、各現場によってまちまちな隙間Ｓの距離に応じてその隙間Ｓを塞ぐことができる。また塞ぎ部材４を保持する保持部６は戸体２本体とは別体のアタッチメント部材５に設けられているためアタッチメント部材５自体が戸体２から脱着可能になっており、そのために戸体２内に部品７を設ける場合またはその部品７をメンテナンスする場合など、アタッチメントを一旦外し部品７を設けた後またはメンテナンス終了後、アタッチメント部材５を取付け直すことにより部品７の取付け取り外し及びメンテナンスが容易にできる。またアタッチメント部材５はその部品７が露出するのを防ぐカバ−材の役目も果たしている。これにより意匠性も向上している。
【００２１】
次に、他の実施の形態について詳述する。
【００２２】
図３において、戸体２の下部に、部品７としてロック部材１０が設けられている。このロック部材１０は室内外の操作部（図示省略）の操作に連動して動くデッドボルト１０ａが、開口部１に対して突没自在になっている。デッドボルト１０ａが突出状態の時に開口部１に設けた受け部１０ｂにデッドボルト１０ａが嵌まることにより戸体２が開口部１に対してロックされる構造になっている。
【００２３】
このように構成されている場合、先述したように開口部１と戸体２との間の隙間Ｓから砂やチリ、ホコリ等が侵入してくるのはもちろんであるが、特にその砂等がロック部材１０内に入り込み（付着し）デッドボルト１０ａが動かなくなったり、受け部１０ｂに砂等がたまってデッドボルト１０ａが受け部１０ｂに嵌まることができなくなったりする問題がある。
またそのデッドボルト１０ａが隙間Ｓから露出して室内外から見えてしまい意匠性に欠けるという問題がある。
なおロック部材は具体的には、落とし錠、フランス落とし等がある。
【００２４】
この実施の形態での保持部６は、戸体２の下框２ｃの、ロック部材１０（部品）をはさんだ室内側と室外側に、下框２ｃと一体に形成されている。保持部（溝）の詳細形状は先述した構造と同じであり、こちらも隙間Ｓに応じて塞ぎ部材４の開口部１への突出量が調整可能になっている。なお保持部６はロック部材１０（部品）をはさんで室内外それぞれに複数設けても構わない。
【００２５】
以上の構成からなる開口部１装置によれば、戸体２の少なくとも１辺に、開口部１に対して突没自在の部品７を設けるとともに、該部品７をはさんだ室内側と室外側には戸体２と開口部１との間の隙間Ｓを塞ぐ塞ぎ部材４を開口部１への突出量が調整可能であるように取付けてなるため、開口部１と戸体２との間の隙間Ｓを塞ぐ塞ぎ部材４の位置を調整できるので、各現場によってまちまちな隙間Ｓの距離に応じてその隙間Ｓを塞ぐことができる。またロック部材１０などの部品に砂等が入り込むこと（付着する）が抑制されるのでその部品の動きが阻害されることが無くなる。また塞ぎ部材４によってロック部材１０の突出没部（デッドボルト）が隠れるので意匠性が向上する。
【００２６】
以上、本発明の実施の形態を図面により詳述してきたが、本発明は上記実施の形態の限定されるものではなく、本発明の要旨を逸脱しない範囲での種々の設計変更等が可能である。例えば、前記実施の形態では上枠１ａ及び左右の縦枠１ｂと床面Ｆ．Ｌ．により開口部１を形成しているが、上枠と下枠と左右縦枠の四方枠体により形成してもよい。また戸体２はドアはもちろん引戸でもよく、框組みでなる框体だけでなくフラッシュ構造であってもよい。
また本発明は、玄関および勝手口に形成される開口部はもちろんのこと、室内に形成される開口部にも用いられる。
【００２７】
また塞ぎ部材４は床面Ｆ．Ｌ．と戸体２との間だけでなく上枠１ａまたは左右の縦枠１ｂと戸体２との間に設けてもよい。要するに戸体２の少なくとも１辺に設けられていればよい。塞ぎ部材４に対向する開口部１は略面一（フラット）に限られることなく、移動の邪魔にならないほどの若干の突出物（例えば引戸レ−ル）があってもよい。
【００２８】
【発明の効果】
以上要するに本発明によれば、次のような効果を奏することができる。
【００２９】
（１）請求項１に係る発明によれば、建物開口部に戸体を開閉自在に設けてなり、該戸体の少なくとも１辺に、戸体と開口部との間の隙間を塞ぐ塞ぎ部材を取付けるための保持部を備えたアタッチメント部材を設けてなり、アタッチメント部材には一方の面と他方の面とにそれぞれ上記保持部を少なくとも一つずつ設け、一方の面を開口部に対向するように取付けた場合と、他方の面を開口部に対向するように取付けた場合とで前記塞ぎ部材の開口部への突出量が相違するようにしてなるため、開口部と戸体との隙間を塞ぐことができ、砂やチリ、ホコリ等の浸入を抑制することができる。また塞ぎ部材を保持する保持部は戸体本体とは別体のアタッチメント部材に設けられているため、戸体に設けた部品の取付け取り外し及びメンテナンスが容易にできる。またアタッチメント部材はその部品が露出するのを防ぐカバ−材の役目も果たしており、これにより意匠性も向上している。
【００３０】
また、他の手段としては、建物開口部に戸体を開閉自在に設けてなり、前記戸体の少なくとも１辺に、戸体と開口部との間の隙間を塞ぐ塞ぎ部材を取付けるためのアタッチメント部材を設けてなり、前記アタッチメント部材には前記塞ぎ部材を保持する複数の保持部を設けてなり、前記保持部に対する前記塞ぎ部材の位置の変更によって、前記塞ぎ部材の開口部への突出量が調整可能であり、前記アタッチメント部材は、前記戸体とは別体に構成され、前記戸体に対して脱着可能に設けられており、前記アタッチメント部材は、前記戸体に設けた部品の露出を防ぐカバー材としても機能するようにしているため、開口部と戸体との隙間を塞ぐことができ、砂やチリ、ホコリ等の浸入を抑制することができる。また塞ぎ部材を保持する保持部は戸体本体とは別体のアタッチメント部材に設けられているため、戸体に設けた部品の取付け取り外し及びメンテナンスが容易にできる。またアタッチメント部材はその部品が露出するのを防ぐカバ−材の役目も果たしており、これにより意匠性も向上している。
【００３１】
また、他の手段としては、前記アタッチメント部材は、そのアタッチメント部材が設けられる戸体の辺と直交する方向において着脱自在となるように構成されるため、戸体に設けた部品の取付け取り外し及びメンテナンスが容易にできる。また、他の手段としては、前記戸体に設けた部品は、前記開口部に対して突没自在の部品であって、前記突没自在の部品を挟んで、戸体の厚み方向の両側に、前記塞ぎ部材を保持する保持部が配置されるため、開口部と戸体との隙間を塞ぐことができ、砂やチリ、ホコリ等の浸入を抑制することができる。またそれにより部品などに砂等が入り込むこと（付着する）が抑制されるのでその部品の動きが阻害されることが無くなる。また塞ぎ部材によって部品が隠れるので意匠性も向上する。
【図面の簡単な説明】
【図１】本発明における実施の形態を示す図で、（ａ）は建物の開口部に戸体を建て込んだ状態を示す室外側正面図、（ｂ）は（ａ）のＡ−Ａ線断面図である。
【図２】図１の戸体２と床面との位置関係を示す図で、（ａ）、（ｂ）、（ｃ）は塞ぎ部材の各保持状態を示す拡大断面図である。
【図３】本発明における他の実施の形態を示す図で、（ａ）、（ｂ）は塞ぎ部材の各保持状態を示す拡大断面図である。
【図４】従来の戸体と床面との位置関係を示す拡大断面図である。
【符号の説明】
１    開口部
１ａ  上枠
１ｂ  縦枠
２    戸体
２ａ  上框
２ｂ  縦框
２ｃ  下框
３  パネル体
４    塞ぎ部材
４ａ  基部
５    アタッチメント部材
６    保持部（溝）
６ａ    第１の保持部
６ｂ    第２の保持部
６ｃ    第３の保持部
７    部品
８    固着具
９    突起部
１０    ロック部材
１０ａ    デッドボルト
１０ｂ    受け部
Ｓ    隙間
Ｆ．Ｌ．    床面
【図１】
0004220054.tif 000002
【図２】
0004220054.tif 000003
【図３】
0004220054.tif 000004
【図４】
0004220054.tif 000005